(57)【要約】【課題】大量のデータを記録が可能で、記号の認識精度が高い二次元コードを提供する事を目的とする。【解決手段】バイナリーのデータをセル化して、二次元マトリックス状に記号を構成配置した二次元コードにおいて、二次元マトリックスデータ要素領域ＭＤＡの４隅に形状の異なる位置決め用シンボルを４個配置することにより位置情報の取得手段とし、各々４個の位置決め用シンボルを結ぶ中間部分にコの字形状の歪み補正用のシンボルを４個配置することで、位置情報と歪み補正機能を効率的に運用が可能となる二次元コードを提供する。【選択図】図１
2014115965.tif 000002
【特許請求の範囲】
【請求項１】
バイナリーのデータをセル化して、二次元マトリックス状に記号を構成配置した二次元コードにおいて、二次元マトリックスデータ要素領域ＭＤＡの４隅に形状の異なる位置決め用シンボルを４個と、各々４個の位置決め用シンボルの中間部分にコの字形状の歪み補正用のシンボルを４個配置したことを特徴とする二次元コード。
【請求項２】
セル化されたデータ要素領域と４個の位置決め用シンボルが離れて配置されていることを特徴とする請求項１記載の二次元コード。
【請求項３】
セル化されたデータ要素領域と４個のコの字形状の歪み補正用シンボルが離れて配置されていることを特徴とする請求項１記載の二次元コード。
【発明の詳細な説明】
【技術分野】
【０００１】  本発明は、二次元のマトリックスデータ要素領域ＭＤＡの４隅に形状の異なる４個の位置決め用シンボルを配置して位置情報を取得可能にして、各々４個の位置決め用シンボルの中間部分にコの字形状の歪み補正用のシンボルを４個配置させることにより二次元コードの歪みの補正が可能にした二次元コードに関する。
【背景技術】
【０００２】  従来から、大量のデータを記録することが可能で、読み取り精度が高くなる二次元コード及び二次元コードの読取方法が開示されている（例えば、特許文献１参照。）。バイナリデータがセル化され、当該セルが縦横の２方向に配列されることで二次元マトリックス状に構成されたデータ要素領域と、データ要素領域を囲む破線から成る矩形部と、矩形部を成す破線の各線分から垂直に延出された見出し線とから構成されると共に、破線の線分及び見出し線でＴ字形に形成されデータ要素領域の切り出しと位置決めを行うためのデータ認識用Ｔ字形マーカを破線の線分の数だけ有する二次元コードを読み取ることで、データ要素領域に記録された情報を得ることができる二次元コード読取方法であって、二次元コードの画像データを取得する第１のステップと、第１のステップで取得した画像データからＴ字形状の連続したピクセル領域を検出する第２のステップと、第２のステップで検出したＴ字形状の連続したピクセル領域が、データ認識用Ｔ字形マーカであるか否かを判定する第３のステップと、第３のステップでデータ認識用Ｔ字形マーカと判定されたＴ字形状の連続したピクセル領域の数が、データ要素領域の切り出しと位置決めを行うことができる予め定められた最低数に達しているか否かを判定する第４のステップと、第４のステップで切り出しと位置決めを行うことができる予め定められた最低数に達していると判定すると、データ認識用Ｔ字形マーカと判定されたＴ字形状の連続したピクセル領域群を使用してデータ要素領域のセル配列を検出する第５のステップと、第５のステップで検出したデータ要素領域のセル配列に基づき、当該データ要素領域から情報を取得する第６のステップとを有するものである。【０００３】  このような第１の態様である二次元コード読取方法によれば、Ｔ字形状の連続したピクセル領域をイメージデータとして検出して、標準であるデータ認識用Ｔ字形マーカと形状を比較するだけで、データ要素領域の周りに当該領域の切り出しと位置決めに応じて複数配設されているＴ字形状の連続したピクセル領域群を検出することができるので、二次元コードの周りに４セル分以上の白色のマージンを確保しなくとも、二次元コード読取装置による二次元コードの認識率を向上させることが可能になる。
【先行技術文献】
【特許文献】
【０００４】
【特許文献１】特開２０１１−７０４７７号公報
【発明の概要】
【発明が解決しようとする課題】
【０００５】  しかしながら、背景技術に記載した二次元コードの読取方法では、Ｔ字形マーカを図２の如く二次元マトリックスデータ要素領域ＭＤＡの外側に多数配置して認識させる必要があり、またデータを記録する二次元マトリックスデータ要素領域とＴ字形マーカは離れて配置されている形状、つまり、図３の示されている如く、１ａａ、２ｂｂ、３ｃｃ及び４ｄｄの領域がＴ字形マーカにより使用されているために更なるデータ記録の為の二次元マトリックスデータ要素領域の拡大を制限しているという難点があった。【０００６】また、これらの試みは従来の二次元バーコードリーダーの読み取りのイメージスキャナーの画素数及びＣＰＵの性能を基礎として考案されており、位置判定及び密度情報の取得に重点が置かれ、限られたコード面積当たりの情報高密度化には重点が置かれていなかった。【０００７】しかし、近年の技術革新により、イメージスキャナーの高画素化とＣＰＵ処理速度の高速化により読取精度が飛躍的に拡大している故に、従来と同様な二次元コードの画像切り出し形成方法を採用する意味が薄れている。
【発明が解決しようとする課題】
【０００８】この発明の目的は、従来の二次元コードでは、コードの位置情報及び密度情報の取得を重点に設計された故に、コードに格納する情報の高密度化が非常に困難であるという欠点を解決することにあり、情報の高密度化を計れる二次元コードを提供するものである。
【課題を解決するための手段】
【０００９】この発明の目的を達成するのに、本発明の二次元コードでは、従来の二次元コードでは図２のごとく位置情報及び密度情報の取得をマトリックスデータ要素領域ＭＤＡの外側に見出し線としてＴ字形状マーカを多数設けてマトリックスデータ要素領域ＭＤＡを狭めていた形状を改め、位置情報の取得を形状の異なる４隅の位置決め用シンボル４個のみに限定する事により、また歪み補正用のシンボルを４辺の中心部のみに配置することにより従来の形状ではでは使用できなかった領域図３が図４のごとく記録収納が可能となり、情報量の増大および高密度化を計れる二次元コードを提供するものである。
【発明の効果】
【００１０】以上の説明のように、この発明によれば、二次元のマトリックスデータ要素領域の４隅に形状の異なる位置決め用シンボルを４個配置したことにより容易に位置情報および回転情報の取得が可能となり、また二次元コードの４辺の中間部に歪み補正用シンボルを４個配置したことにより、効率的に運用が可能となる二次元コードを提供できる。
【図面の簡単な説明】
【００１１】
【図１】本発明にかかる二次元コードの実施の一形態を示す概略図である。
【図２】従来の二次元コードのデザインの一形態
【図３】従来の二次元記号でデータ要素領域が制限されていた領域
【図４】本発明にかかる二次元コードのデータ要素領域の拡大領域
【図５】本発明にかかる二次元コードの画像切り出し形成方法の一例
【発明を実施するための形態】
【００１２】請求項に係わる発明について、その実施の形態を図面を参照しながら説明する。
【実施例】
【００１３】二進化したデータのビットを白黒の正方形のセルとして二次元マトリックス状に並べたデータ要素領域部と、二次元のマトリックスデータ要素領域の４隅に形状の異なる４個の位置決め用シンボルを配置して位置情報を取得可能にして、各々４個の位置決め用シンボルの中間部分にコの字形状の歪み補正用のシンボルを４個配置させることにより二次元コードの歪みの補正が可能にした二次元コード。【００１４】歪み補正用のシンボルは４個配置された位置決め用シンボルを結んだ直線のほぼ中央に位置しており、各々の歪み補正用シンボルは線の端からマトリックスデータ要素領域に向かって９０度で折れ曲がった見出し線のようなコの字形状である。【００１５】歪み補正用シンボルは図４に示されている如く、４角形の記号の４面の一部に配置されており、その占有面積も限定されている。【００１６】これにより、データ要素を記録するマトリックスデータ要素領域は、１１、１２、１３、１４、１５、１６、１７、１８、１９、２０、２１、２２の領域にも拡大が可能となり、それにともないデータ記録要領も増大することが可能となった。【００１７】本発明の二次元コードは、形状の異なる位置決め用シンボル１、２、３、４をイメージスキャナーで認識することで位置情報及び回転方向を容易に判定することが可能となる。【００１８】また、図５に示したように１ａ、１ｂ、２ａ、２ｂ、３ａ、３ｂ、４ａ及び４ｂの見出し線をデータ要素領域に向かって配置したコの字形状の歪み補正用シンボルを４個を二次元コードの４辺に配置したことにより印刷及び紙の歪みの補正も容易に行える二次元コードを構成することが可能である。【００１９】マトリックスデータ部の中には切り出しや位置決め等のための特別な印刷パターンは存在せず、小面積でより多くのデータを搭載可能である。
【符号の説明】
【００２０】位置決め用シンボル１
位置決め用シンボル２
位置決め用シンボル３
位置決め用シンボル４
歪み補正用シンボル１
歪み補正用シンボル２
歪み補正用シンボル３
歪み補正用シンボル４
１ａａ  Ｔ字形状マーカにより占有された領域
２ｂｂ  Ｔ字形状マーカにより占有された領域
３ｃｃ  Ｔ字形状マーカにより占有された領域
４ｄｄ  Ｔ字形状マーカにより占有された領域
１１  拡大したマトリックスデータ要素領域
１２  拡大したマトリックスデータ要素領域
１３  拡大したマトリックスデータ要素領域
１４  拡大したマトリックスデータ要素領域
１５  拡大したマトリックスデータ要素領域
１６  拡大したマトリックスデータ要素領域
１７  拡大したマトリックスデータ要素領域
１８  拡大したマトリックスデータ要素領域
１９  拡大したマトリックスデータ要素領域
２０  拡大したマトリックスデータ要素領域
２１  拡大したマトリックスデータ要素領域
２２  拡大したマトリックスデータ要素領域
１ａ  データ要素領域方向への歪み補正シンボル１の見出し線
１ｂ  データ要素領域方向への歪み補正シンボル１の見出し線
２ａ  データ要素領域方向への歪み補正シンボル２の見出し線
２ｂ  データ要素領域方向への歪み補正シンボル２の見出し線
３ａ  データ要素領域方向への歪み補正シンボル３の見出し線
３ｂ  データ要素領域方向への歪み補正シンボル３の見出し線
４ａ  データ要素領域方向への歪み補正シンボル４の見出し線
４ｂ  データ要素領域方向への歪み補正シンボル４の見出し線
【図１】
2014115965.tif 000003
【図２】
2014115965.tif 000004
【図３】
2014115965.tif 000005
【図４】
2014115965.tif 000006
【図５】
2014115965.tif 000007
【図６】
2014115965.tif 000008
【手続補正書】
【提出日】平成25年3月12日(2013.3.12)
【手続補正１】
【補正対象書類名】明細書
【補正対象項目名】００１１
【補正方法】変更
【補正の内容】
【００１１】
【図１】本発明にかかる二次元コードの実施の一形態を示す概略図である。
【図２】従来の二次元コードのデザインの一形態
【図３】従来の二次元記号でデータ要素領域が制限されていた領域
【図４】本発明にかかる二次元コードのデータ要素領域の拡大領域
【図５】本発明にかかる二次元コードの位置決め用シンボルと歪み補正用のシンボルの位置関係を示す一形態
【図６】本発明にかかる二次元コードの画像切り出し形成方法の一例